(57)【特許請求の範囲】
【請求項１】
受信した放送電波中の単位文字情報を文字情報用メモリに蓄積するための文字情報蓄積制御手段および、蓄積した最新の単位文字情報を選択して情報端末機器に送信するための文字情報転送制御手段とを備えたテレビジョン受信機と、
該テレビジョン受信機から送信された単位文字情報を受信して蓄積する情報蓄積用メモリと、蓄積した単位文字情報を表示するための処理手段とを備えた前記情報端末機器とから構成される文字情報転送システムであって、
前記文字情報転送制御手段は、前記文字情報用メモリに蓄積された単位文字情報を選択順に反復して前記情報端末機器に送信し、その送信中に前記文字情報用メモリが空になったことが検知された場合、または、前記情報蓄積用メモリがメモリオーバーしたことに応じて、前記情報端末機器から発せられるメモリオーバーフロー信号を受信した場合単位文字情報の送信を停止する機能を有していることを特徴とする文字情報転送システム。
【請求項２】
請求項１に記載した文字情報転送システムであって、
テレビジョン受信機の制御手段は情報端末機器からの予約指定信号を受信したうえで単位文字情報を蓄積するものであり、情報端末機器の制御手段は蓄積すべき単位文字情報を指定する予約指定信号をテレビジョン受信機へ送信するものであることを特徴とする文字情報転送システム。
【請求項３】
請求項１に記載した文字情報転送システムであって、
テレビジョン受信機の制御手段は情報端末機器からの送信開始信号を受信したうえで単位文字情報の送信を開始するものであり、情報端末機器の制御手段は単位文字情報の送信を開始させる送信開始信号をテレビジョン受信機へ送信するものであることを特徴とする文字情報転送システム。
【請求項４】
請求項１に記載した文字情報転送システムであって、
テレビジョン受信機の制御手段は予約指定された送信開始時刻が到来したときには情報端末機器の電源投入信号を送信したうえで単位文字情報の送信を開始するものであり、情報端末機器の制御手段はテレビジョン受信機からの電源投入信号を受信したときには情報端末機器の電源を投入したうえでテレビジョン受信機から送信されてくる単位文字情報の受信を開始するものであることを特徴とする文字情報転送システム。
【請求項５】
請求項１に記載した文字情報転送システムであって、
テレビジョン受信機の制御手段は情報端末機器からの電源投入信号を受信したときにはテレビジョン受信機の電源を投入したうえで単位文字情報の送信を開始するものであり、情報端末機器の制御手段は予約指定された送信開始時刻が到来したときにはテレビジョン受信機の電源投入信号を送信したうえでテレビジョン受信機から送信されてくる単位文字情報の受信を開始するものであることを特徴とする文字情報転送システム。
【請求項６】
請求項１ないし請求項５のいずれかに記載した文字情報転送システムであって、
テレビジョン受信機の制御手段は、異なる番組分野のそれぞれ毎に蓄積された単位文字情報のうちの最新の単位文字情報を選択したうえで送信することを番組分野数に応じて反復しており、送信量が総蓄積量の設定割合に対応したときには各番組分野からの送信を中断し、かつ、すべての番組分野からの送信が中断した後には、番組分野のそれぞれ毎に蓄積されている単位文字情報の送信を再開することを番組分野数に応じて反復しているとともに、情報端末機器の制御手段から送信されたメモリオーバーフロー信号を受信したときには単位文字情報の送信を停止するアルゴリズムを有していることを特徴とする文字情報転送システム。
【請求項７】
請求項１ないし請求項５のいずれかに記載した文字情報転送システムであって、
テレビジョン受信機の制御手段は、異なる番組分野のそれぞれ毎に蓄積された単位文字情報のうちの最新の単位文字情報を選択したうえで送信することを番組分野数に応じて反復しており、送信数が総蓄積数の設定割合に対応したときには各番組分野からの送信を中断し、かつ、すべての番組分野からの送信が中断した後には、番組分野のそれぞれ毎に蓄積されている単位文字情報の送信を再開することを番組分野数に応じて反復しているとともに、情報端末機器の制御手段から送信されたメモリオーバーフロー信号を受信したときには単位文字情報の送信を停止するアルゴリズムを有していることを特徴とする文字情報転送システム。
【請求項８】
受信した放送電波中の単位文字情報を蓄積するための文字情報蓄積制御手段および、蓄積した最新の単位文字情報を選択して情報機器に送信するための文字情報転送制御手段とを備えたテレビジョン受信機であって、
前記テレビジョン受信機は、前記文字情報転送制御手段により、蓄積した単位文字情報を選択順に反復して情報端末機器に送信し、蓄積された単位文字情報が空になったことが検知された場合、または、前記情報端末機器の有するメモリがオーバーフローしたことに応じて前記情報端末機器から発せられるオーバーフロー信号を受信した場合、前記情報端末機器への単位文字情報の送信を停止する機能を有していることを特徴とするテレビジョン受信機。
【請求項９】
請求項８に記載したテレビジョン受信機であって、
前記文字情報転送制御手段は、予約された送信開始時間が到来した時には情報端末機器の電源投入信号を送信したうえで単位文字情報の送信を開始することを特徴とするテレビジョン受信機。
【発明の詳細な説明】
【０００１】
【発明の属する技術分野】
本発明は文字情報転送システムに係り、詳しくは、テレビジョン受信機と情報端末機器とからなる文字情報転送システムに関する。
【０００２】
【従来の技術】
近年においては、文字放送受信機能及び文字情報蓄積機能を有し、かつ、放送電波によって供給された文字情報を画面上で視認することが可能なテレビジョン受信機が数多く出回っており、この種のテレビジョン受信機のうちには図１４で示すような構成とされたものがある。すなわち、このテレビジョン受信機は、文字情報抽出手段１と文字情報蓄積制御手段２とを備えたものであり、映像情報及び文字情報を含んでなる放送電波はアンテナ３を通じて受信機４によって受信され、電気信号に変換されたうえで文字情報抽出手段１へと送信される。そして、文字情報抽出手段１では電気信号中の映像情報と文字情報とを分離することが行われており、映像情報は画面合成／表示手段５へと送られる一方、文字情報は文字情報蓄積制御手段２へと送信されたうえ、この文字情報蓄積制御手段２でもって文字情報用メモリ６に対して格納されている。
【０００３】
そこで、ユーザが入力手段７を通じて文字情報の表示指令を入力すると、この表示指令を受けた文字情報蓄積制御手段２は文字情報用メモリ６から文字情報を読み出したうえ、読み出した文字情報を画面合成／表示手段５へと送信することになり、この画面合成／表示手段５によっては受信した文字情報と文字情報抽出手段１からリアルタイムで受信している映像情報とを合成したうえで画面上に表示することが行われる。なお、この際における表示指令は、テレビジョン受信機に付属するリモコン送信装置８を利用し、テレビジョン受信機のリモコン受信手段９を介したうえで入力手段７に与えられるのが一般的となっている。
【０００４】
さらに、最近では、携帯に適した小型の情報端末機器が使用されるようになってきており、この種の情報端末機器としては、図１５で示すようなものがある。すなわち、この情報端末機器は、情報の加工及び処理を実行するとともに、情報の伝達を制御するための中央処理手段１１を具備して構成されたものであり、パーソナルコンピュータなどの外部装置から赤外線受信手段１２を通じて受信された情報は中央処理手段１１でもって情報蓄積用メモリ１３に対して格納されるようになっている。
【０００５】
そこで、ユーザが入力手段１４を通じて情報の表示指令を入力した際には、表示指令を受けた中央処理手段１１が情報を情報蓄積用メモリ１３から読み出したうえで表示手段１５へと送ることになり、送られた情報は表示手段１５によって画面上に表示される。また、外部装置へ情報を送信するという送信指令が入力手段１４を通じたうえでユーザから入力された際の中央処理手段１１は、情報蓄積用メモリ１３から情報を読み出したうえ、読み出した情報を赤外線送信手段１６から外部装置に向かって送信することになる。
【０００６】
【発明が解決しようとする課題】
ところで、文字放送受信機能及び文字情報蓄積機能を有してなるテレビジョン受信機は、このテレビジョン受信機そのものが設置されている場所、例えば、家庭内などにおいてニュースや株式などの情報を得るためには大変に便利なものであるが、大きくて重いテレビジョン受信機を外出先にまで持ち回ることは不可能であり、外出先において各種の情報を得るためには、新聞や雑誌などを購入したうえで拡げて読んだり、携帯用のテレビジョン受信機やラジオ受信機を持ち歩きながら放送時間に合わせて必要な番組分野の放送を見たり聞いたりすることが行われる。しかしながら、これらの方法によるのでは、各番組分野の放送時刻が決まっていることから情報を得るための時間が制限されるばかりか、必要とする情報を確実に入手できるとは限らないことになってしまう。
【０００７】
一方、従来の技術に係る情報端末機器を外出先まで持ち歩くことは十分に可能であり、これらの情報端末機器を持ち歩きながら必要に応じて保存情報の更新や加工処理を実行するユーザも多くなっている。ところが、このような情報端末機器に対し、テレビジョン放送を通じて得られる最新の情報を取り込むことは困難であり、ユーザが必要とする最新の情報をテレビジョン受信機から情報端末機器へと取り込んだうえでの情報確認を行ったり加工処理したりすることは実行し難いのが現状であった。そして、このような不都合を解消したうえで情報端末機器をより一層使い易くすることが従前から要望されていたのであるが、テレビジョン受信機と情報端末機器とから構成される文字情報転送システムの構築が未だ不十分であるため、必ずしも要望を満足し得るほどの状況にまでは至っていないのが実態である。
【０００８】
本発明は、このような不都合に鑑みて創案されたものであって、テレビジョン受信機と情報端末機器とから構成される文字情報転送システムを確立したうえで提供しようとするものである。
【０００９】
本発明の請求項１に係る文字情報転送システムは、受信した放送電波中の単位文字情報を文字情報用メモリに蓄積するための文字情報蓄積制御手段および、蓄積した最新の単位文字情報を選択して情報端末機器に送信するための文字情報転送制御手段とを備えたテレビジョン受信機と、該テレビジョン受信機から送信された単位文字情報を受信して蓄積する情報蓄積用メモリと、蓄積した単位文字情報を表示するための処理手段とを備えた前記情報端末機器とから構成される文字情報転送システムであって、前記文字情報転送制御手段は、前記文字情報用メモリに蓄積された単位文字情報を選択順に反復して前記情報端末機器に送信し、その送信中に前記文字情報用メモリが空になったことが検知された場合、または、前記情報蓄積用メモリがメモリオーバーしたことに応じて、前記情報端末機器から発せられるメモリオーバーフロー信号を受信した場合文字情報の送信を停止する機能を有していることを特徴とするものである。そして、この文字情報転送システムによれば、テレビジョン受信機と情報端末機器とから構成される文字情報転送システムが確立していることになる結果、テレビジョン受信機でもって蓄積された単位文字情報のうちからユーザが外出中に必要とする文字情報、例えば、ニュースや株式などの情報を選択したうえで順次、情報端末機器に取り込んで蓄積しておいた後、この情報端末機器を持ち歩きながら蓄積された最新の単位文字情報を確認したり加工処理したりすることが可能となる。
【００１０】
本発明の請求項２に係る文字情報転送システムを構成するテレビジョン受信機の制御手段は、情報端末機器からの予約指定信号を受信したうえで単位文字情報を蓄積するものであり、情報端末機器の制御手段は蓄積すべき単位文字情報を指定する予約指定信号をテレビジョン受信機へ送信するものであることを特徴としている。請求項３に係る文字情報転送システムを構成するテレビジョン受信機の制御手段は情報端末機器からの送信開始信号を受信したうえで単位文字情報の送信を開始するものであり、情報端末機器の制御手段は単位文字情報の送信を開始させる送信開始信号をテレビジョン受信機へ送信するものとなっている。
【００１１】
本発明の請求項４に係る文字情報転送システムを構成するテレビジョン受信機の制御手段は、予約指定された送信開始時刻が到来したときには情報端末機器の電源投入信号を送信したうえで単位文字情報の送信を開始するものであり、情報端末機器の制御手段はテレビジョン受信機からの電源投入信号を受信したときには情報端末機器の電源を投入したうえでテレビジョン受信機から送信されてくる単位文字情報の受信を開始するものであることを特徴とする。請求項５に係る文字情報転送システムを構成するテレビジョン受信機の制御手段は、情報端末機器からの電源投入信号を受信したときにはテレビジョン受信機の電源を投入したうえで単位文字情報の送信を開始するものであり、情報端末機器の制御手段は予約指定された送信開始時刻が到来したときにはテレビジョン受信機の電源投入信号を送信したうえでテレビジョン受信機から送信されてくる単位文字情報の受信を開始するものであることを特徴としている。
【００１７】
本発明の請求項６に係る文字情報転送システムを構成するテレビジョン受信機の制御手段は、異なる番組分野のそれぞれ毎に蓄積された単位文字情報のうちの最新の単位文字情報を選択したうえで送信することを番組分野数に応じて反復しており、送信量が総蓄積数の設定割合に対応したときには各番組分野からの送信を中断し、かつ、すべての番組分野からの送信が中断した後には、番組分野のそれぞれ毎に蓄積されている単位文字情報の送信を再開することを番組分野数に応じて反復しているとともに、情報端末機器の制御手段から送信されたメモリオーバーフロー信号を受信したときには単位文字情報の送信を停止するアルゴリズムを有している
【００１８】
本発明の請求項７に係る文字情報転送システムを構成するテレビジョン受信機の制御手段は、異なる番組分野のそれぞれ毎に蓄積された単位文字情報のうちの最新の単位文字情報を選択したうえで送信することを番組分野数に応じて反復しており、送信数が総蓄積数の設定割合に対応したときには各番組分野からの送信を中断し、かつ、すべての番組分野からの送信が中断した後には、番組分野のそれぞれ毎に蓄積されている単位文字情報の送信を再開することを番組分野数に応じて反復しているとともに、情報端末機器の制御手段から送信されたメモリオーバーフロー信号を受信したときには文字情報の送信を停止するアルゴリズムを有している。請求項８に係るテレビジョン受信機は、受信した放送電波中の単位文字情報を蓄積するための文字情報蓄積制御手段および、蓄積した最新の単位文字情報を選択して情報機器に送信するための文字情報転送制御手段とを備えたテレビジョン受信機であって、前記テレビジョン受信機は、前記文字情報転送制御手段により、蓄積した単位文字情報を選択順に反復して情報端末機器に送信し、蓄積された単位文字情報が空になったことが検知された場合、または、前記情報端末機器の有するメモリがオーバーフローしたことに応じて前記情報端末機器から発せられるオーバーフロー信号を受信した場合、前記情報端末機器への単位文字情報の送信を停止する機能を有している。また、請求項９に係るテレビジョン受信機は、予約された送信開始時間が到来した時には情報端末機器の電源投入信号を送信したうえで単位文字情報の送信を開始する。
【００１９】
【発明の実施の形態】
以下、本発明の実施の形態を図面に基づいて説明する。
【００２０】
図１は本実施の形態に係るテレビジョン受信機の概略構成を示すブロック図、図２は情報端末機器の概略構成を示すブロック図、図３は文字情報用メモリにおける文字情報の格納状態を例示する説明図であり、図４ないし図１３のそれぞれはテレビジョン受信機を構成する文字情報転送制御手段が有するアルゴリズムの具体例を示すフローチャートである。なお、本実施の形態に係るテレビジョン受信機及び情報端末機器の概略構成は従来の形態と基本的に異ならないので、図１及び図２において図１４及び図１５と互いに同一もしくは相当する部品、部分には同一符号を付している。
【００２１】
本実施の形態に係るテレビジョン受信機は、図１で示すように、受信した放送電波中の文字情報を蓄積するための文字情報蓄積制御手段２を備えているとともに、蓄積した文字情報を選択して送信（転送）するための文字情報転送制御手段２１を備えている。また、情報端末機器は、図２で示すように、テレビジョン受信機から送信された文字情報を受信して蓄積し、かつ、蓄積した文字情報を表示するための中央処理手段１１とともに、この中央処理手段１１の動作を制御しつつ、受信した文字情報の総蓄積量もしくは総蓄積数がメモリオーバーしたときにはテレビジョン受信機に対してメモリオーバーフロー信号を送信する制御手段２２を具備している。なお、図２では制御手段２２を中央処理手段１２内に組み込まれているが、この制御手段２２が中央処理手段１２とは別に設けられていてもよいことは勿論である。
【００２２】
すなわち、本実施の形態に係るテレビジョン受信機は、文字情報抽出手段１及び文字情報蓄積制御手段２を備えているとともに、文字情報転送制御手段２１と赤外線送信手段２３及び赤外線受信手段２４とを備えて構成されたものであり、映像情報及び文字情報を含んだ放送電波はアンテナ３を通じて受信機４によって受信された後、電気信号に変換されたうえで文字情報抽出手段１へと送信されることになっている。そして、この文字情報抽出手段１においては電気信号中の映像情報と文字情報とを互いに分離することが行われており、映像情報は画面合成／表示手段５へと送られる一方、文字情報は文字情報蓄積制御手段２へと送信されたうえで文字情報用メモリ６に対して格納されている。なお、この文字情報用メモリ６においては、図３で例示するように、データ長の相違する多数個の単位文字情報Ｓ１，Ｓ２，Ｓ３，Ｓ４，Ｋ１，Ｋ２，Ｋ３，Ｎ１，Ｎ２，Ｎ３，Ｎ４などがスポーツや株式、ニュースというような異なる番組分野ごとに対応して格納されることになっている。
【００２３】
そこで、ユーザが入力手段７を通じて文字情報の表示指令を入力すると、表示指令を受けた文字情報蓄積制御手段２は文字情報用メモリ６から文字情報を読み出したうえで画面合成／表示手段５へと送信することになり、この画面合成／表示手段５によっては受け取った文字情報と文字情報抽出手段１からリアルタイムで受信している映像情報とを合成したうえで画面上に表示することが行われる。
【００２４】
また、入力手段７を通じてはユーザが蓄積しておきたいと考える文字放送番組の予約指令が入力されることになっており、予約指令を受けた入力手段７から文字情報蓄積制御手段２へは文字放送番組の予約指定信号が送信される。そして、予約指定信号を記憶している文字情報蓄積制御手段２によっては、予約指定信号に対応した文字放送番組中の文字情報を文字情報用メモリ６に対して格納することが行われる。なお、この際、蓄積しようとする文字情報の大きさが文字情報用メモリ６内の空き容量よりも大きい場合には、過去に蓄積した文字情報から順に消去することを実行したうえで所要の文字情報が蓄積されることになる。
【００２５】
さらに、本実施の形態に係るテレビジョン受信機は文字情報転送制御手段２１と赤外線送信手段２３及び赤外線受信手段２４とを具備しており、入力手段７を通じたうえでユーザから文字情報の転送指令を受けた文字情報転送制御手段２１は、文字情報蓄積制御手段２によって文字情報用メモリ６から文字情報を読み出したうえ、読み出された文字情報を赤外線送信手段２３を介して情報端末機器へと転送することになっている。すなわち、この際における入力手段７は文字情報の転送指令に対応した転送開始信号を文字情報転送制御手段２１へと送信することになり、転送開始信号を受信した文字情報転送制御手段２１は文字情報の転送を制御することになる。なお、この文字情報転送制御手段２１が実行する転送時動作、つまり、この文字情報転送制御手段２１が有している種々のアルゴリズムについては後述する。
【００２６】
また、ここでの赤外線受信手段２４は情報端末機器からテレビジョン受信機に対して送信されてくる各種の指令を受け取るものであり、この赤外線受信手段２４を介して情報端末機器からの送信開始信号を受け取った文字情報転送制御手段２１は、赤外線送信手段２３を介したうえで文字情報の転送を開始することになっている。さらに、図示省略しているが、入力手段７を通じたうえでユーザによって送信開始時刻を予約指定するためのタイマをテレビジョン受信機に設けておいてもよく、このタイマが送信開始時刻の到来を検出した際の文字情報転送制御手段２１が、赤外線送信手段２３を通じて情報端末機器に電源投入信号を送信したうえで文字情報の転送を開始する構成としておくことも可能である。さらにまた、この際における文字情報転送制御手段２１が赤外線受信手段２４を介したうえで情報端末機器からの電源投入信号を受信したときは、テレビジョン受信機の電源を投入したうえで文字情報の転送を開始することが行われるようになっている。
【００２７】
一方、本実施の形態に係る情報端末機器が具備する中央処理手段１１内には、テレビジョン受信機との間における文字情報の転送を制御するための制御手段２２が組み込まれている。そして、中央処理手段１１によっては、テレビジョン受信機から赤外線受信手段１２を通じて受信した文字情報が情報蓄積用メモリ１３へと格納されることになっており、ユーザが入力手段１４を通じて文字情報の表示指令を入力した際には、表示指令を受けた中央処理手段１１が文字情報を情報蓄積用メモリ１３から読み出して表示手段１５へと送ったうえ、表示手段１５によって文字情報が画面上に表示されることになっている。また、この際における制御手段２２によっては、テレビジョン受信機から送信された文字情報を受信したうえで蓄積しておき、蓄積した文字情報を必要に応じて表示するという中央処理手段１１の動作を制御するとともに、受信した文字情報の総蓄積量もしくは総蓄積数が情報蓄積用メモリ１３の記憶容量を越えた、つまり、メモリオーバーしたときにはテレビジョン受信機に対してメモリオーバーフロー信号を送信するという制御が行われている。
【００２８】
さらに、この制御手段２２に対してはユーザが蓄積しておきたいと考える文字放送番組の予約指令が入力手段１４を通じて入力されることになり、制御手段２２からテレビジョン受信機の文字情報蓄積制御手段２へは赤外線送信手段１６及び赤外線受信手段２４を介したうえで文字放送番組の予約指定信号が送信されることになっている。そして、予約指定信号を受信した文字情報蓄積制御手段２によっては、予約指定信号に対応した文字放送番組中の文字情報を文字情報用メモリ６に対して格納することが行われる。なお、この際においては、テレビジョン受信機の画面上に表示された文字放送番組の一覧をユーザが視認しつつ、情報端末機器の付属ペンを使用したうえでユーザが蓄積しておきたい文字放送番組を予約指定することが行われる。
【００２９】
また、制御手段２２は、入力手段１４を介して入力されたユーザの転送指令に基づき、文字情報の送信を開始するための送信開始信号をテレビジョン受信機に対して赤外線送信手段１４を介したうえで送信するものであり、かつ、赤外線受信手段１２を介してテレビジョン受信機からの電源投入信号を受信した際には情報端末機器の電源を投入したうえでテレビジョン受信機から送信されてくる文字情報の受信を開始する構成とされたものともなっている。さらにまた、図示省略しているが、入力手段１４を通じたうえでユーザによって送信開始時刻を予約指定するためのタイマが情報端末機器に設けられていてもよく、このタイマが送信開始時刻の到来を検出した際の制御手段２２は赤外線送信手段１６を通じてテレビジョン受信機に電源投入信号を送信したうえ、テレビジョン受信機から転送されてくる文字情報の受信を開始する構成とされている。
【００３０】
ところで、本実施の形態に係るテレビジョン受信機が備える文字情報用メモリ６の記憶容量に比較すると、情報端末機器の具備する情報蓄積用メモリ１３の記憶容量の方がかなり小さいので、文字情報用メモリ６に蓄積された文字情報のすべてを転送したうえで情報蓄積用メモリ１３に蓄積することは不可能となるのが一般的である。したがって、本実施の形態に係る文字情報転送システムにおいては、最新の単位文字情報から順に転送したうえで情報蓄積用メモリ１３に蓄積する種々のアルゴリズムがテレビジョン受信機の文字情報転送制御手段２１に対して与えられている。
【００３１】
以下、図４ないし図１３のそれぞれで示すフローチャートに基づき、本実施の形態に係るテレビジョン受信機の文字情報転送制御手段２１が有するアルゴリズムについて説明する。まず、文字情報の転送を開始する以前の時点におけるテレビジョン受信機の文字情報用メモリ６には、図３で例示しているように、データ長が互いに異なる多数の単位文字情報Ｓ１，Ｓ２，Ｓ３，Ｓ４，Ｋ１，Ｋ２，Ｋ３，Ｎ１，Ｎ２，Ｎ３，Ｎ４がスポーツや株式、ニュースというような異なる番組分野ごとに対応したうえで格納されている。なお、説明の都合上、図３では、単位文字情報のそれぞれに付記された番号が小さいほど最新の時点で蓄積されたものであるとし、ニュースの単位文字情報Ｎ１が最新の時点で蓄積されたものであり、株式の単位文字情報Ｋ１が次に新しい時点で、また、スポーツの単位文字情報Ｓ１が単位文字情報Ｋ１に続く新しい時点で蓄積されたものであるとする。
【００３２】
まず、この際におけるテレビジョン受信機の文字情報転送制御手段２１が有する第１のアルゴリズムは、文字情報用メモリ６に蓄積された文字情報のうちの最新の単位文字情報を番組分野に関わりなく順に選択したうえで情報端末機器の情報蓄積用メモリ１３へ送信することを反復しており、情報端末機器の制御手段２２からのメモリオーバーフロー信号を受信したときには文字情報の送信を停止するものである。すなわち、この第１のアルゴリズムでは、図４中のステップａで示すように、文字情報用メモリ６が空であるか否かを判定することがまずもって行われる。そして、文字情報用メモリ６が空でなければ、文字情報用メモリ６に蓄積されている種々の単位文字情報のうちから最も新しいニュースの単位文字情報Ｎ１を転送すべき情報Ａとしたうえ、ステップｂで示すように、この情報Ａを情報端末機器の情報蓄積用メモリ１３に対して転送することが実行される。
【００３３】
さらに、制御手段２２からのメモリオーバーフロー信号を文字情報転送手段２１が受信しない限りは、ステップｃで示すように、文字情報用メモリ６から単位文字情報Ｎ１を消去したうえ、引き続き、ステップａで示すように、文字情報用メモリ６が空でない場合には、株式の単位文字情報Ｋ１を転送すべき情報Ａとしたうえで転送することを実行した後、ステップｂ，ｃで示すように、スポーツの単位文字情報Ｓ１やニュースの単位文字情報Ｎ２などを情報Ａとしたうえで情報蓄積用メモリ１３へと転送することが繰り返して実行される。なお、文字情報用メモリ６が空になった場合と、文字情報転送手段２１がメモリオーバーフロー信号を受信した場合には、文字情報の転送が終了することになる。
【００３４】
また、文字情報転送制御手段２１が有する第２のアルゴリズムは、異なる番組分野、例えば、スポーツや株式などのそれぞれ毎に蓄積された文字情報のうちから最新の単位文字情報を一つずつ平等に選択したうえで送信することを番組分野数に応じて反復し、情報端末機器の制御手段２２からのメモリオーバーフロー信号を受信したときには文字情報の送信を停止する手順を有するものであり、この第２のアルゴリズムを具体化すると、図５のフローチャートで示すようになる。なお、このアルゴリズムを実行するに先立っては、文字情報転送制御手段２１によって空の転送済み番組表を用意することがまずもって行われる。そのうえで、ステップａで示すように、文字情報用メモリ６が空であるか否かを判定することが実行された後、文字情報用メモリ６が空でない場合には、少なくとも一つの文字情報が属しているような番組分野の中で転送済み番組表には入っていない番組分野、例えば、スポーツを番組Ｘとすることが行われる。
【００３５】
そして、ステップｂで示すように、番組Ｘとされたスポーツのうちから最新の単位文字情報、つまり、単位文字情報Ｓ１を転送すべき情報Ａとしたうえ、ステップｃで示すように、この情報Ａを情報端末機器の情報蓄積用メモリ１３に対して転送することが実行される。引き続き、制御手段２２からのメモリオーバーフロー信号を文字情報転送手段２１が受信していない場合には、ステップｄで示すように、文字情報用メモリ６から単位文字情報Ｓ１を消去し、かつ、空であった転送済み番組表に対して番組Ｘであるスポーツを入れた後、ステップｅで示すように、転送済み番組表に入っていない番組分野が他にあるか否かを判定し、転送済み番組表に入っていない番組分野がある場合には、ステップａで示すように、文字情報用メモリ６が空であるか否かを再び判定し、文字情報用メモリ６が空でなければ、転送済み番組表には入っていない他の番組分野、例えば、株式を番組Ｘとすることが実行される。その後、ステップｂ，ｃで示すように、番組Ｘとされた株式のうちから最新の単位文字情報Ｋ１を転送すべき情報Ａとしたうえ、この情報Ａを情報端末機器の情報蓄積用メモリ１３に対して転送することが行われる。
【００３６】
さらに、文字情報転送手段２１がメモリオーバーフロー信号を受信していない場合には、ステップｄで示すように、文字情報用メモリ６から単位文字情報Ｋ１を消去し、転送済み番組表に番組Ｘである株式を追加した後、ニュースを番組Ｘとして単位文字情報Ｎ１を転送したうえ、文字情報用メモリ６から単位文字情報Ｋ１を消去し、転送済み番組表に番組Ｘである株式を追加することが行われる。
【００３７】
そして、ステップｅで転送済み番組表に入っていない番組分野がなくなったと判定されると、ステップｆで示すように、転送済み番組表をクリアしたうえで以上説明した手順を繰り返して実行する。なお、第２のアルゴリズムにおいても、文字情報用メモリ６が空になった場合と、文字情報転送手段２１がメモリオーバーフロー信号を受信した場合には、文字情報の転送が終了する。
【００３８】
文字情報転送制御手段２１が有する第３のアルゴリズムは、異なる番組分野のそれぞれ毎に蓄積された文字情報のうちの最新の単位文字情報から順に選択したうえで送信量が情報蓄積用メモリ１３の設定蓄積量、つまり、情報蓄積用メモリ１３において蓄積すべく予め設定された蓄積量に対応するまで送信することを番組分野数に応じて反復し、情報端末機器の制御手段２２から送信されたメモリオーバーフロー信号を受信したときには文字情報の送信を停止する手順とされたものであり、第３のアルゴリズムを具体化した場合には、図６のフローチャートで例示するようになる。なお、このアルゴリズムを実行する際にも、文字情報転送制御手段２１によって空の転送済み番組表が用意される。
【００３９】
そして、まず、ステップａで示すように、文字情報用メモリ６が空であるか否かを判定することが行われた後、文字情報用メモリ６が空でなければ、少なくとも一つの文字情報が属している番組分野の中で転送済み番組表には入っていない番組分野、例えば、スポーツに注目したうえでスポーツを番組Ｘとすることが行われる。引き続き、ステップｂで示すように、番組Ｘとされたスポーツのうちに単位文字情報があるか否かを検索し、単位文字情報がある場合にはスポーツのうちで最新の単位文字情報Ｓ１を転送すべき情報Ａとすることを実行したうえ、ステップｃで示すように、この情報Ａを情報端末機器の情報蓄積用メモリ１３に対して転送する。さらに、制御手段２２からのメモリオーバーフロー信号を文字情報転送手段２１が受信していない場合には、ステップｄで示すように、文字情報用メモリ６から単位文字情報Ｓ１を消去したうえ、ステップｅで示すように、ステップａ〜ステップｃで転送した単位文字情報の総量、つまり、送信量が予め設定された情報蓄積用メモリ１３の設定蓄積量ｍを越えたか否かが判定される。そして、送信量が設定蓄積量ｍを越えていなければ、ステップｂへと移行した後、番組Ｘとされたスポーツのうちに単位文字情報があるか否かを検索し、単位文字情報がある場合には次に新しい単位文字情報Ｓ２を転送すべき情報Ａとすることを実行したうえ、ステップｃで示すように、この情報Ａを情報端末機器の情報蓄積用メモリ１３に対して転送することを繰り返して実行する。
【００４０】
また、ステップｅにおいて送信量が設定蓄積量ｍを越えたと判定されると、ステップｆで示すように、転送済み番組表に対して番組Ｘであるスポーツを追加した後、ステップｇで示すように、転送済み番組表に入っていない番組分野が他にあるか否かを判定し、転送済み番組表に入っていない番組分野があるならば、ステップａで示すように、文字情報用メモリ６が空であるか否かを再び判定し、文字情報用メモリ６が空でなければ、転送済み番組表には入っていない他の番組分野、例えば、株式を番組Ｘとすることが実行される。その後、ステップｂ〜ｆを繰り返して実行し、ステップｇで転送済み番組表に入っていない番組分野がないと判定された場合には、ステップｈで示すように、転送済み番組表をクリアしたうえで以上の手順をさらに繰り返すこととなる。なお、文字情報用メモリ６が空になった場合と、文字情報転送手段２１がメモリオーバーフロー信号を受信した場合には、文字情報の転送が終了することになる。
【００４１】
一方、文字情報転送制御手段２１が有する第４のアルゴリズムは、異なる番組分野のそれぞれ毎に蓄積された文字情報のうちの最新の単位文字情報から順に選択したうえで送信数が情報蓄積用メモリ１３の設定蓄積数、つまり、情報蓄積用メモリ１３において蓄積すべきとして予め設定された文字情報の蓄積数に対応するまで送信することを番組分野数に応じて反復し、情報端末機器の制御手段２２から送信されたメモリオーバーフロー信号を受信したときには文字情報の送信を停止する手順を有している。すなわち、第３のアルゴリズムでは送信量が設定蓄積量ｍに対応するまで送信していたのに対し、第４のアルゴリズムでは送信数が設定蓄積数ｎ、つまり、設定蓄積量ｍではなくて設定蓄積数ｎに対応するまで送信されることになっている。そして、第４のアルゴリズムを具体化すると、図７のフローチャートで例示するようになる。なお、この際における転送手順は第３のアルゴリズムと全く異ならないので、ここでの説明は省略している。
【００４２】
さらに、文字情報転送制御手段２１が有する第５のアルゴリズムは、異なる番組分野のそれぞれ毎に蓄積された文字情報のうちの最新の単位文字情報から順に選択したうえで送信量が情報蓄積用メモリ１３における総蓄積量の設定割合、つまり、情報蓄積用メモリ１３が有する総蓄積量に対して予め設定された蓄積割合に対応するまで送信することを番組分野数に応じて反復しており、情報端末機器の制御手段２２から送信されたメモリオーバーフロー信号を受信したときには文字情報の送信を停止するものとなっている。すなわち、この第５のアルゴリズムでは第３のアルゴリズムにおける情報蓄積用メモリ１３の設定蓄積量ｍに代え、その総蓄積量の設定割合が利用されることになっており、第５のアルゴリズムを具体化すると、図８のフローチャートで示すようになる。なお、図８においては情報蓄積用メモリ１３における総蓄積量の設定割合を記号ｐで表しており、第５のアルゴリズムを実行する際にも文字情報転送制御手段２１によって空の転送済み番組表を用意することが行われている。
【００４３】
まず、ステップａで示すように、文字情報用メモリ６が空であるか否かを判定した後、文字情報用メモリ６が空でなければ、少なくとも一つの文字情報が属している番組分野の中で転送済み番組表に入っていない番組分野、例えば、スポーツを番組Ｘとすることが行われる。次に、ステップｂで示すように、番組Ｘとされたスポーツのうちに単位文字情報があるか否かを検索し、単位文字情報がある場合にはスポーツのうちで最新の単位文字情報Ｓ１を転送すべき情報Ａとしたうえ、ステップｃで示すように、この情報Ａを情報端末機器の情報蓄積用メモリ１３に対して転送する。さらに、制御手段２２からのメモリオーバーフロー信号を文字情報転送手段２１が受信していなければ、ステップｄで示すように、文字情報用メモリ６から単位文字情報Ｓ１を消去したうえ、ステップｅで示すように、ステップａ〜ステップｃで転送した単位文字情報の送信量が情報蓄積用メモリ１３における総蓄積量の設定割合ｐを越えたか否かが判定される。
【００４４】
そして、送信量が総蓄積量の設定割合ｐを越えていなければ、ステップｂへと移行した後、番組Ｘとされたスポーツのうちに他の単位文字情報があるか否かを検索し、他の単位文字情報がある場合には次に新しい単位文字情報Ｓ２を転送すべき情報Ａとしたうえ、ステップｃで示すように、この情報Ａを情報端末機器の情報蓄積用メモリ１３に対して転送することを繰り返して実行する。また、ステップｅにおいて送信量が総蓄積量の設定割合ｐを越えたとの判定が下されると、ステップｆで示すように、転送済み番組表に対して番組Ｘであるスポーツを追加した後、ステップｇで示すように、転送済み番組表に入っていない番組分野が他にあるか否かを判定し、転送済み番組表に入っていない番組分野があれば、ステップａで示すように、文字情報用メモリ６が空であるか否かを判定したうえ、文字情報用メモリ６が空でなければ、転送済み番組表には入っていない他の番組分野、例えば、株式を番組Ｘとすることが実行される。
【００４５】
その後、ステップｂで示すように、番組Ｘとされた株式のうちに単位文字情報があるか否かを検索し、単位文字情報がある場合には株式のうちで最も新しい単位文字情報Ｋ１を転送すべき情報Ａとしたうえ、ステップｃで示すように、この情報Ａを情報端末機器の情報蓄積用メモリ１３に対して転送する。さらに、制御手段２２からのメモリオーバーフロー信号を文字情報転送手段２１が受信していなければ、ステップｄで示すように、文字情報用メモリ６から単位文字情報Ｋ１を消去したうえ、ステップｅで示すように、ステップａ〜ステップｃで転送した単位文字情報の送信量が情報蓄積用メモリ１３における総蓄積量の設定割合ｐを越えたか否かが判定される。そして、送信量が総蓄積量の設定割合ｐを越えていなければ、番組Ｘである株式の単位文字情報Ｋ２を転送すべき情報Ａとしたうえで転送し、さらには、ニュースを番組Ｘとして単位文字情報Ｎ１などを情報Ａとしたうえでの転送を繰り返す。その後、ステップｇで転送済み番組表に入っていない番組分野がなくなったと判定されると、ステップｈで示すように、転送済み番組表をクリアしたうえで再び以上の手順を繰り返すこととなる。なお、文字情報用メモリ６が空になった場合と、文字情報転送手段２１がメモリオーバーフロー信号を受信した場合には、文字情報の転送が終了することになる。
【００４６】
さらにまた、文字情報転送制御手段２１が有する第６のアルゴリズムは、異なる番組分野のそれぞれ毎に蓄積された文字情報のうちの最新の単位文字情報から順に選択したうえで送信数が総蓄積数の設定割合、つまり、情報蓄積用メモリ１３が有する総蓄積数に対して予め設定された蓄積割合に対応するまで送信することを番組分野数に応じて反復しており、情報端末機器の制御手段２２から送信されたメモリオーバーフロー信号を受信したときには文字情報の送信を停止する手順となっている。すなわち、第５のアルゴリズムでは送信量が総蓄積量の設定割合ｐに対応するまで送信されていたのに対し、第６のアルゴリズムでは総蓄積量の設定割合ｐに代えて総蓄積数の設定割合ｑを用いることが行われている。そして、第６のアルゴリズムを具体化してみると、図９のフローチャートで例示するようになるが、このアルゴリズムにおける転送手順は第５のアルゴリズムと全く相違していないので説明を省略する。
【００４７】
文字情報転送制御手段２１が有する第７のアルゴリズムは、異なる番組分野のそれぞれ毎に蓄積された文字情報のうちの最新の単位文字情報を選択して送信することを番組分野数に応じて反復しており、送信量が情報蓄積用メモリ１３の設定蓄積量ｍに対応したときには各番組分野からの送信を中断し、かつ、すべての番組分野からの送信が中断した後には、番組分野のそれぞれ毎に蓄積されている単位文字情報の送信を再開することを番組分野数に応じて反復しているものであり、情報端末機器の制御手段２２から送信されたメモリオーバーフロー信号を受信したときには文字情報の送信を停止するものとなっている。そして、このようなアルゴリズムを具体化すると、図１０のフローチャートで示すようになり、このアルゴリズムを実行する際には、文字情報転送制御手段２１によって空の転送済み番組表及び転送中断中番組表を用意することが行われる。
【００４８】
まず、このアルゴリズムでは、ステップａで示すように、転送済み番組表及び転送中断中番組表をクリアし、かつ、ステップｂ１で示すように、文字情報用メモリ６が空であるか否かを判定することが実行される。そして、文字情報用メモリ６が空でなければ、ステップｂ２で示すように、少なくとも一つの文字情報が属している番組分野の中で転送済み番組表及び転送中断中番組表のいずれにも入っていない番組分野、例えば、スポーツを番組Ｘとすることが行われる。次に、ステップｃで示すように、番組Ｘとされたスポーツのうちに単位文字情報があるか否かを検索し、単位文字情報がある場合にはスポーツのうちで最新の単位文字情報Ｓ１を転送すべき情報Ａとしたうえ、ステップｄで示すように、この情報Ａを情報端末機器の情報蓄積用メモリ１３に対して転送する。
【００４９】
さらに、制御手段２２からのメモリオーバーフロー信号を文字情報転送手段２１が情報Ａの転送中に受信していなければ、ステップｅで示すように、文字情報用メモリ６から単位文字情報Ｓ１を消去した後、ステップｆ１で示すように、ステップａ〜ステップｃで転送した単位文字情報の送信量が情報蓄積用メモリ１３の設定蓄積量ｍを越えたか否かが判定される。そして、送信量が設定蓄積量ｍを越えていれば、ステップｆ２で示すように、番組Ｘであるスポーツを転送中断中番組表に追加したうえ、ステップｇで示すように、転送済み番組表に対して番組Ｘであるスポーツを追加する。なお、送信量が設定蓄積量ｍを越えていない場合には、ステップｇに移行して番組Ｘであるスポーツを転送済み番組表に追加することが行われる。
【００５０】
引き続き、ステップｈで示すように、転送済み番組表に入っていない番組分野があるか否かを判定し、転送済み番組表に入っていない番組分野があるならば、ステップａに戻ったうえで以上の手順を繰り返して実行する。そして、転送済み番組表に入っていない番組分野がないとステップｈで判定された場合には、ステップｉで示すように、転送済み番組表をクリアしたうえでステップｊに移行し、このステップｊでもって転送中断中番組表に入っていない番組分野があるか否かを判定したうえ、転送中断中番組表に入っていない番組分野がある場合には、再びステップａに戻ったうえでの手順が繰り返して実行される。また、ステップｊで転送中断中番組表に入っていない番組分野はないとの判定が下されれば、ステップｂ１に戻ったうえでの手順が繰り返される。なお、文字情報用メモリ６が空になった場合と、文字情報転送手段２１がメモリオーバーフロー信号を受信した場合には、文字情報の転送が終了することになる。
【００５１】
文字情報転送制御手段２１が有する第８のアルゴリズムは、異なる番組分野のそれぞれ毎に蓄積された文字情報のうちの最新の単位文字情報を選択して送信することを番組分野数に応じて反復しており、送信数が情報蓄積用メモリ１３の設定蓄積数に対応したときには各番組分野からの送信を中断し、かつ、すべての番組分野からの送信が中断した後には、番組分野のそれぞれ毎に蓄積されている単位文字情報の送信を再開することを番組分野数に応じて反復しているとともに、情報端末機器の制御手段２２から送信されたメモリオーバーフロー信号を受信したときには文字情報の送信を停止する手順を有している。すなわち、第７のアルゴリズムでは送信量が設定蓄積量ｍに対応するまで送信することが行われていたのに対し、第８のアルゴリズムでは送信数が予め設定された設定蓄積数ｎに対応するまで送信されることになっている。そして、第８のアルゴリズムを具体化すると、図１１のフローチャートで例示するようになる。しかしながら、この際における転送手順は、第７のアルゴリズムと全く異ならないので説明を省略する。
【００５２】
次に、文字情報転送制御手段２１が有する第９のアルゴリズムは、異なる番組分野のそれぞれ毎に蓄積された文字情報のうちの最新の単位文字情報を選択して送信することを番組分野数に応じて反復しており、送信量が情報蓄積用メモリ１３における総蓄積量の設定割合ｐに対応したときには各番組分野からの送信を中断し、かつ、すべての番組分野からの送信が中断した後には、番組分野のそれぞれ毎に蓄積されている単位文字情報の送信を再開することを番組分野数に応じて反復しているものであり、情報端末機器の制御手段２２から送信されたメモリオーバーフロー信号を受信したときには文字情報の送信を停止する手順を有するものとなっている。そして、このようなアルゴリズムを具体化すると、図１２のフローチャートで例示するようになり、このアルゴリズムを実行する際には、文字情報転送制御手段２１によって空の転送済み番組表及び転送中断中番組表を用意することが行われる。
【００５３】
まず、このアルゴリズムでは、ステップａで示すように、転送済み番組表及び転送中断中番組表をクリアし、かつ、ステップｂ１で示すように、文字情報用メモリ６が空であるか否かを判定することが実行される。そして、文字情報用メモリ６が空でなければ、ステップｂ２で示すように、少なくとも一つの文字情報が属している番組分野の中で転送済み番組表及び転送中断中番組表のいずれにも入っていない番組分野、例えば、スポーツを番組Ｘとすることが行われる。次に、ステップｃで示すように、番組Ｘとされたスポーツのうちに単位文字情報があるか否かを検索し、単位文字情報がある場合にはスポーツのうちで最新の単位文字情報Ｓ１を転送すべき情報Ａとしたうえ、ステップｄで示すように、この情報Ａを情報端末機器の情報蓄積用メモリ１３に対して転送する。
【００５４】
さらに、制御手段２２からのメモリオーバーフロー信号を文字情報転送手段２１が情報Ａの転送中に受信していなければ、ステップｅで示すように、文字情報用メモリ６から単位文字情報Ｓ１を消去した後、ステップｆ１で示すように、ステップａ〜ステップｃで転送した単位文字情報の送信量が情報蓄積用メモリ１３における総蓄積量の設定割合ｐを越えたか否かが判定される。そして、送信量が総蓄積量の設定割合ｐを越えていれば、ステップｆ２で示すように、番組Ｘであるスポーツを転送中断中番組表に追加したうえ、ステップｇで示すように、転送済み番組表に対して番組Ｘであるスポーツを追加する。なお、送信量が総蓄積量の設定割合ｐを越えていなければ、ステップｇに移行して番組Ｘであるスポーツを転送済み番組表に追加することが行われる。
【００５５】
引き続き、ステップｈで示すように、転送済み番組表に入っていない番組分野があるか否かを判定し、転送済み番組表に入っていない番組分野がある場合は、ステップａに戻ったうえで以上の手順を繰り返して実行する。そして、転送済み番組表に入っていない番組分野がないとステップｈで判定された場合には、ステップｉで示すように、転送済み番組表をクリアしたうえでステップｊに移行し、このステップｊでもって転送中断中番組表に入っていない番組分野があるか否かを判定したうえ、転送中断中番組表に入っていない番組分野があるならば、再びステップａに戻ったうえでの手順が繰り返して実行される。また、ステップｊで転送中断中番組表に入っていない番組分野はないとの判定が下されれば、ステップｂ１に戻ったうえでの手順が繰り返される。なお、文字情報用メモリ６が空になった場合と、文字情報転送手段２１がメモリオーバーフロー信号を受信した場合には、文字情報の転送が終了することになる。
【００５６】
文字情報転送制御手段２１が有する第１０のアルゴリズムは、異なる番組分野のそれぞれ毎に蓄積された文字情報のうちの最新の単位文字情報を選択して送信することを番組分野数に応じて反復しており、送信数が情報蓄積用メモリ１３における総蓄積数の設定割合ｑに対応したときは各番組分野からの送信を中断し、かつ、すべての番組分野からの送信が中断した後には、番組分野のそれぞれ毎に蓄積されている単位文字情報の送信を再開することを番組分野数に応じて反復しているものであり、情報端末機器の制御手段２２から送信されたメモリオーバーフロー信号を受信したときには文字情報の送信を停止する手順を有している。すなわち、第９のアルゴリズムでは送信量が総蓄積量の設定割合ｐに対応するまで送信されていたのに対し、第１０のアルゴリズムでは総蓄積量の設定割合ｐに代えて総蓄積数の設定割合ｑを用いることが行われている。そして、第１０のアルゴリズムを具体化してみると、図１３のフローチャートで示すようになるが、このアルゴリズムにおける転送手順は第９のアルゴリズムと全く相違していないので説明を省略する。
【００５７】
【発明の効果】
以上説明したように、本発明の請求項１に係る文字情報転送システムにおいては、テレビジョン受信機と情報端末機器とから構成される文字情報転送システムが確立していることになる結果、テレビジョン受信機でもって蓄積された文字情報のうちからユーザが外出中に必要とする文字情報、例えば、ニュースや株式などのような最新の情報を選択して情報端末機器に取り込んでおくことが可能となる。そのため、情報を得るための時間が制限されることはなくなり、必要とする情報を確実に入手できることになるばかりか、情報端末機器のみを持ち歩きながら最新の文字情報を確認したり加工処理したりすることができるという効果が得られる。
【００５８】
そして、請求項２及び請求項３に係る文字情報転送システムによれば、情報端末機器を利用しながらユーザが必要とする文字情報を容易に蓄積したうえで転送することによって情報端末機器に取り込むことができるという利点が得られることになり、請求項４及び請求項５の文字情報転送システムによれば、送信開始時刻を予約指定しておくことが可能となる結果、情報端末機器による文字情報の取り込みを忘失することがなくなり、文字情報の確実な転送を実行することができるという効果が得られる。さらにまた、本発明の請求項６ないし請求項１５に係る文字情報転送システムによれば、テレビジョン受信機が備える文字情報用メモリの記憶容量よりも情報端末機器が具備する情報蓄積用メモリの記憶容量の方が小さいにも拘わらず、ユーザが必要とするであろう最新の文字情報をより多く蓄積しておくことができるという効果が得られる。
【図面の簡単な説明】
【図１】本実施の形態に係るテレビジョン受信機の概略構成を示すブロック図である。
【図２】本実施の形態に係る情報端末機器の概略構成を示すブロック図である。
【図３】文字情報用メモリにおける文字情報の格納状態を例示する説明図である。
【図４】文字情報転送制御手段が有する第１のアルゴリズムの具体例を示すフローチャートである。
【図５】第２のアルゴリズムの具体例を示すフローチャートである。
【図６】第３のアルゴリズムの具体例を示すフローチャートである。
【図７】第４のアルゴリズムの具体例を示すフローチャートである。
【図８】第５のアルゴリズムの具体例を示すフローチャートである。
【図９】第６のアルゴリズムの具体例を示すフローチャートである。
【図１０】第７のアルゴリズムの具体例を示すフローチャートである。
【図１１】第８のアルゴリズムの具体例を示すフローチャートである。
【図１２】第９のアルゴリズムの具体例を示すフローチャートである。
【図１３】第１０のアルゴリズムの具体例を示すフローチャートである。
【図１４】従来の形態に係るテレビジョン受信機の概略構成を示すブロック図である。
【図１５】従来の形態に係る情報端末機器の概略構成を示すブロック図である。
【符号の説明】
２    文字情報蓄積制御手段
１１    中央処理手段
２１    文字情報転送制御手段
２２    制御手段
【図１】
0003767871.tif 000002
【図２】
0003767871.tif 000003
【図３】
0003767871.tif 000004
【図４】
0003767871.tif 000005
【図５】
0003767871.tif 000006
【図６】
0003767871.tif 000007
【図７】
0003767871.tif 000008
【図８】
0003767871.tif 000009
【図９】
0003767871.tif 000010
【図１０】
0003767871.tif 000011
【図１１】
0003767871.tif 000012
【図１２】
0003767871.tif 000013
【図１３】
0003767871.tif 000014
【図１４】
0003767871.tif 000015
【図１５】
0003767871.tif 000016